(57)【特許請求の範囲】
【請求項１】
シート積載部から給紙したシートにトナー像を形成する画像形成部と、トナー像を形成したシートをニップ部で搬送しながら加熱しトナー像をシートに定着する定着部と、前記定着部に付着したトナーを回収して前記定着部をクリーニングするクリーニング部と、を有し、前記クリーニング部で回収したトナーを強制的に前記定着部に移動させた後、トナー回収用のシートを前記ニップ部で搬送して、前記定着部のトナーを前記トナー回収用のシートに付着させて回収するトナー回収モードを実行可能である画像形成装置において、
前記画像形成部は、シートに縁無しのトナー像と縁有りのトナー像とを形成することが可能であって、縁無しのトナー像を形成可能なシートの最大幅は縁有りのトナー像を形成可能なシートの最大幅よりも小さいという制限があり、
前記トナー回収用のシートは、縁無しのトナー像を形成可能なシートの最大幅よりも大きい幅で縁有りのトナー像を形成可能なシートであって、前記シート積載部から給紙することを特徴とする画像形成装置。
【請求項２】
前記シート積載部は、複数の異なるサイズのシートをサイズごとに積載することが可能であり、前記シート積載部に積載されたシートのサイズの情報を取得して記憶するシート情報記憶手段を有し、前記シート情報記憶手段の情報に基づいてユーザが指定したシートに縁無しのトナー像を形成することが可能か否かを決定することを特徴とする請求項１に記載の画像形成装置。
【請求項３】
前記トナー回収モードの実行時に、前記シート情報記憶手段の情報に基づき、前記トナー回収用のシートのサイズを決定することを特徴とする請求項２に記載の画像形成装置。
【請求項４】
前記定着部は、定着ローラと、前記定着ローラと共に前記ニップ部を形成する加圧ローラと、を有し、前記クリーニング部は、前記定着ローラに当接する第１のクリーニングローラと、前記加圧ローラに当接する第２のクリーニングローラと、を有することを特徴とする請求項１〜３のいずれか１項に記載の画像形成装置。
【発明の詳細な説明】
【技術分野】
【０００１】
本発明は，例えば電子写真方式にて像担持体上に形成した現像剤像（トナー像）を転写材に転写し，その後定着することによって転写材上に永久画像を得る、例えば複写機、プリンター等の画像形成装置に関するものである。
【背景技術】
【０００２】
像担持体としての感光体ドラム表面に形成した現像剤像（トナー像）を、転写媒体としての紙等の転写材に転写する工程を含む周知の電子写真方式の画像形成装置がある。また、カラー画像形成装置としては、複数個の像担持体を一列に並べて、各像担持体で順次トナー像を形成し、そのトナー像を転写材に直接あるいは中間転写体を介して転写する装置構成が一般的である。
【０００３】
また、近年のプリンタ需要の多様化から、特にカラー画像形成装置において、余白無し印字に対する要望が高まっている。従来は一回り大きな転写材上を用い、印刷後にその余白をカットしていた。このカットする作業を簡略化するため、予め転写材上の周囲に余白マージンを作らず、転写材全面に画像印刷を行う、いわゆる余白無し印字の必要性が高まっている。
【０００４】
ところが、余白無し印字動作を継続していると、各クリーニングローラ上のトナー付着量が増し、クリーニングローラ上のトナーが定着ローラや加圧ローラに逆流し、転写材の汚れを引き起こすという問題が生じることがある。
【０００５】
これに対して、次のようなクリーニング制御方法を採用するものがある。印字動作を一定枚数行った後に、定着器を温度コントロールした状態で空回転動作させ、さらにクリーニングペーパーを定着ニップ部に搬送し通過させて、クリーニングローラ上に付着したトナーを再回収するものがある（例えば、特許文献１参照。）。
【０００６】
【特許文献１】特開２００３−５７９８５
【発明の開示】
【発明が解決しようとする課題】
【０００７】
しかしながら、上記クリーニング制御方法を、余白無し印字を行うことが可能な画像形成装置に適用する場合には、以下のような課題が生じる。すなわち、あるサイズの転写材を使用して余白無し印字を継続した場合、各クリーニングローラ上でトナーが付着する走査方向の領域幅は、通紙した転写材の幅に対して拡がりを持ったものとなる。これは、クリーニングローラ表面に付着したトナーが、各クリーニングローラと、定着ローラ又は加圧ローラで形成されるクリーニングニップ内の圧力の作用により、押し潰され走査方向に拡がるためである。一方で、余白無し印字動作中に転写材が定着器内を搬送される際や、クリーニング制御実施中にクリーニングペーパーが定着器内を搬送される際には、定着器と転写材或いはクリーニングペーパーとの間の相対位置関係に走査方向のばらつきが生じることもある。
【０００８】
このような状況において、余白無し印字が行われた転写材と、同一の幅を有するクリーニングペーパーを通紙してクリーニング制御を行ったとすると、クリーニングローラ上に付着したトナーの一部を再回収することはできる。しかし、全てのトナーを再回収することはできない。これでは、定着器内に残留したトナーが以降の印字動作において、転写材の汚れを引き起こしてしまう。
【０００９】
そこで本発明の目的は、余白無し印字を行うことのできる電子写真方式の画像形成装置において、定着器のクリーニング制御を良好に行い転写材の汚れを防止することである。
【課題を解決するための手段】
【００１０】
前記目的を達成するための本発明に係る代表的な構成は、シート積載部から給紙したシートにトナー像を形成する画像形成部と、トナー像を形成したシートをニップ部で搬送しながら加熱しトナー像をシートに定着する定着部と、前記定着部に付着したトナーを回収して前記定着部をクリーニングするクリーニング部と、を有し、前記クリーニング部で回収したトナーを強制的に前記定着部に移動させた後、トナー回収用のシートを前記ニップ部で搬送して、前記定着部のトナーを前記トナー回収用のシートに付着させて回収するトナー回収モードを実行可能である画像形成装置において、前記画像形成部は、シートに縁無しのトナー像と縁有りのトナー像とを形成することが可能であって、縁無しのトナー像を形成可能なシートの最大幅は縁有りのトナー像を形成可能なシートの最大幅よりも小さいという制限があり、前記トナー回収用のシートは、縁無しのトナー像を形成可能なシートの最大幅よりも大きい幅で縁有りのトナー像を形成可能なシートであって、前記シート積載部から給紙することを特徴とする。
【発明の効果】
【００１１】
本発明は、上述の如き構成を有するので、余白無し印字を行うことのできる電子写真方式の画像形成装置において、定着器のクリーニング制御を良好に行い転写材の汚れを防止することが出来る。
【発明を実施するための最良の形態】
【００１２】
〔第１実施形態〕
以下、本発明に係る画像形成装置を図面に則して詳しく説明する。図１は第１実施形態における画像形成装置100を示す断面図であり、図２は画像形成装置と画像送信装置の接続を示す図である。
【００１３】
［画像形成装置の概略構成について］
図１及び図２を用いて、余白無し印字に対応している電子写真方式のフルカラー画像形成装置を説明する。ここで、余白無し印字とは、前記転写材の全域において画像を形成する画像形成モードによる画像形成方式のことをいう。これに伴い、以下の説明において、前記転写材の全域において画像を形成する画像形成モードを余白無し印字モードという。また、前記転写材の所定領域を除く領域内において画像を形成する画像形成モードを余白有り印字モードという。
【００１４】
本実施形態の画像形成装置は、使用可能な転写材の最大サイズはＳＲＡ３（幅３２０ｍｍ×長さ４５０ｍｍ）である。またプロセススピードは１１７ｍｍ／秒である。Ａ４横送りの印字速度としては、２４枚／分が可能である。
【００１５】
本実施形態の画像形成装置100は、図２に示すように、画像送信装置としてのパソコン101とケーブル102を介して接続される。画像データは、パソコン101からケーブル102を経由して、画像形成装置100に送信される。
【００１６】
画像形成装置100は、転写材Ｐに対して、余白無しの印字を行うための第一の画像形成モードである余白無し印字モードと、通常の余白有りの印字を行うための第二の画像形成モードである余白有り印字モードと、による画像形成を実施する機能を備えている。ここで余白とは、転写材の中で予め設定される所定領域である。このため、転写材の所定領域を除く領域内において画像を形成する画像形成モードを余白有り印字モードという。画像形成装置は、各画像形成モードに応じて画像形成を実施する機能を有する。
【００１７】
［画像形成装置の構成と動作について］
本実施形態の画像形成装置として、図１に示すように、４ドラム、中間転写方式のフルカラープリンタを用いて説明する。本画像形成装置は、イエロー（Ｙ）、マゼンタ（Ｍ）、シアン（Ｃ）、ブラック（Ｋ）の４色の画像形成手段（画像形成ステーション10）10ａ〜10ｄを有し、さらに中間転写体としての中間転写ベルト1を含む転写装置および定着器（定着手段）3を有する。
【００１８】
各画像形成ステーション10ａ〜10ｄは画像形成ユニットとしてユニット化され、それぞれ像担持体である感光体ドラム11（ドラム状電子写真感光体）11ａ〜11ｄが矢印方向に回転可能に設置される。感光体ドラム11ａ〜11ｄの外周表面上に、それぞれ感光体ドラム表面を一様に帯電する一次帯電ローラ12ａ〜12ｄが配置される。一次帯電ローラ12の感光体ドラム回転方向下流側には、画像信号に対応して変調されたレーザー光を感光体ドラム表面に露光するレーザー露光器13ａ〜13ｄが配置される。さらにレーザー露光器13の下流側には、レーザー露光により形成された感光体ドラム表面上の各色の静電潜像を、対応する色のイエロー、マゼンタ、シアン、ブラックのトナーを用いて現像する現像器14ａ〜14ｄが配置される。
【００１９】
感光体ドラム11ａ〜11ｄの中間転写ベルト1を挟んだ位置（転写位置）には、感光体ドラムとともに一次転写部を形成する一次転写ローラ15ａ〜15ｄが対向設置される。この一次転写ローラ15ａ〜15ｄには、一次転写電源としてそれぞれ一次転写電源16ａ〜16ｄが接続され、それぞれ可変な一次転写電圧Ｖｙ、Ｖｍ、Ｖｃ、Ｖｋが印加される。
【００２０】
中間転写ベルト1は、駆動ローラ1ａ、テンションローラ1ｂ、二次転写対向ローラ1ｃの３本のローラに張架して設置され、各画像形成ステーション10ａ〜10ｄを縦貫して、感光体ドラム11ａ〜11ｄに接触配置される。中間転写ベルト1は、駆動ローラ1ａにより図の矢印方向に回転駆動される。感光体ドラム11ａ〜11ｄの一次転写ローラ15ａ〜15ｄの下流側には、ドラムクリーナ17ａ〜17ｄが設置される。また中間転写ベルト1の表面には、ベルトクリーナ4が配置される。
【００２１】
以上のように構成された画像形成装置の画像形成動作について、イエローの画像形成ステーション10ａを例にして説明する。イエローステーション10ａの感光体ドラム11ａは、アルミニウムの円筒体表面に光導電層を形成してなっており、矢印方向へ回転する過程で一次帯電ローラ12ａにより、表面を一様にマイナス帯電（帯電電位＝−６００Ｖ）される。ついでレーザー露光器13ａにより画像露光が行われ（露光後の表面電位＝−２００Ｖ）、感光体ドラム11ａの表面に原稿のイエロー画像成分と対応した静電潜像が形成される。この静電潜像は、現像器14ａによりマイナス帯電したイエロートナーを用いて現像され、静電潜像がイエロートナー像として可視化される。
【００２２】
得られたイエロートナー像は、一次転写ローラ15ａに一次転写電源16ａから一次転写電圧を印加することによって、中間転写ベル1上に一次転写される。転写後の感光体ドラム11ａは、表面に付着している転写残トナーがドラムクリーナ17ａによって除去され、次の画像形成に供される。
【００２３】
以上の画像形成動作を、各画像形成ステーション10ａ〜10ｄにおいて所定のタイミングを持って行い、感光体ドラム11ａ〜11ｄ上のトナー像をそれぞれの一次転写部で中間転写ベルト1上に順次重ねて一次転写する。フルカラーモードの場合は、中間転写ベルト1に対してイエロー、マゼンタ、シアン、ブラックの順でトナー像を順次転写し、単色や２〜３色モードの場合は、必要な色のトナー像が上記と同じ順で転写される。その後、中間転写ベルト1上の４色のトナー像は、中間転写ベルト1の矢印方向の回動にともない、二次転写ローラ（転写手段）2が中間転写ベルト1を挟んで接地された二次転写対向ローラ1ｃと当接された二次転写部に移動される。そこに給送ローラ9により所定のタイミングをもって供給された転写材Ｐ上に、二次転写ローラ2に二次転写電源21から二次転写電圧を印加する。これによりトナー像は一括して転写材Ｐに二次転写される。二次転写ニップ部を通過した未定着トナー像を載せた転写材Ｐは、定着器3へと搬送され、加熱・加圧されて永久定着像となる。また、定着装置３から排出された転写材Ｐは、装置外の排出トレイ8に排出される。
【００２４】
図３により転写材カセット5を説明する。図３は転写材カセット5の斜視図である。
【００２５】
図３に示すように、転写材Ｐは、転写材カセット5内にある一対の長手位置規制板52により、各回転体と長手中心（走査方向の中心）が整列されて蓄積される。前記回転体とは、感光体ドラム11ａ〜11ｄ、中間転写ベルト1、定着ローラ30、加圧ローラ31、及びクリーニングローラ（回収手段）32、33である。
【００２６】
これにより、転写材カセット5から取り出された転写材Ｐは、感光体ドラム11ａ〜11ｄ、中間転写ベルト1、定着ローラ30、加圧ローラ31、及びクリーニングローラ32、33と、長手中心が整列した状態で二次転写ニップ部、定着ニップ部に挿通される。つまり、本実施形態の画像形成装置はいわゆる中央基準構成となっている。ピックアップローラ対51により転写材カセット5から取り出された転写材Ｐは、給送装置6の搬送ローラ61と、給送ローラ9により、中間転写ベルト1上のトナー像に同期した所定のタイミングで二次転写部に挿通される。
【００２７】
ここで、転写材Ｐに対する塗り足し領域を説明する。図４は転写材Ｐに対する塗り足し領域を示す図である。
【００２８】
本画像形成装置において転写材Ｐに余白無し印字を行う場合には、図４に示すように、通常の余白有りの印字を行う場合に転写材Ｐ内の印字領域を決定するマスク領域Ｅが大きくなる。具体的には、転写材Ｐの先端部、後端部、左端部、右端部について各々２ｍｍの幅を有する塗り足し領域Ｂの分だけ転写材Ｐよりも大きな領域となる。こうして、塗り足し領域Ｂの画像部分までを含めた画像を感光体ドラム上に形成することで、中間転写ベルト1を介して、転写材Ｐ上に転写されたものは、余白無し印字画像となる。
【００２９】
尚、二次転写時に転写材Ｐより外側にある塗り足し領域のトナーの一部は、二次転写ローラ2上に付着することになる。この付着トナーは、二次転写ローラ2に当接している二次転写ローラクリーナ22で除去される。
【００３０】
一方で、二次転写部において二次転写工程を終えた転写材Ｐ上には、表面のみならず、図５に示す端部を取り囲む周囲四辺の裁断面部分である紙こば面の一部に対してもトナーが転写される。図５は紙こばトナーの付着状態を示す斜視図である。
【００３１】
この転写材Ｐが定着器3内に進入した際、図６に示すように、定着ニップ部において紙こば面上のトナーが未定着のままとなり、定着ローラ30及び加圧ローラ31の表面上にオフセットする現象が発生する。図６にトナーがオフセットする状態を示す。
【００３２】
このオフセットトナーが各ローラ表面に付着すると、転写材Ｐの表面及び裏面の汚れを引き起こす。ここで、定着ローラ30及び加圧ローラ31には、それぞれクリーニングローラ32及び33が当接されており、これらを用い、両ローラ表面に付着したトナーが回収される。
【００３３】
かくして、４色のトナー像が転写、定着された余白無しのフルカラー画像が転写材Ｐ上に得られる。
【００３４】
［画像形成装置の構成部品について］
本実施形態では、感光体ドラム11（11ａ〜11ｄ）に直径３０．６ｍｍの負帯電性のＯＰＣドラムを用いる。また、一次帯電ローラ12（12ａ〜12ｄ）にＤＣ成分にＡＣ成分を重畳した帯電電圧を印加し、環境を問わず、感光体ドラム11の表面を約−６００Ｖに一様に帯電する。レーザー露光器13（13ａ〜13ｄ）は、波長７６０ｎｍの近赤外レーザーダイオードと、感光体ドラム11にレーザー光を走査するポリゴンミラーとを有する。レーザー露光器13を用いることにより、感光体ドラム11の表面電位を露光部で−２００Ｖに低下して、これを画像部とする静電潜像を形成する。
【００３５】
現像器14（14ａ〜14ｄ）は、非磁性トナー（非磁性一成分現像剤）を用いた現像方式の現像器である。非磁性トナーとしてワックスを含んだコア／シェル構造の粒径６μｍの重合トナーを使用した。この非磁性トナーを塗布ローラによって現像スリーブの表面にコーティングして担持させる。そして、現像スリーブの回転にともない弾性ブレードでトナー層厚を規制する。その後、現像スリーブ上のトナーを感光体ドラム11と対向した現像部へ搬送し、現像スリーブに印加したＤＣ成分にＡＣ成分を重畳した現像電圧によって感光体ドラム11（11ａ〜11ｄ）上の静電潜像の露光部に付着させる。こうして、静電潜像を反転現像する。
【００３６】
一次転写ローラ15（15ａ〜15ｄ）は、直径８ｍｍの芯金上にＥＰＤＭの導電ゴム層を長手方向にわたり被覆して、直径１６ｍｍに形成したものである。それぞれの芯金が給電バネを介して一次転写電源16（16ａ〜16ｄ）に接続される。一次転写ローラ15のローラ硬度はアスカーＣで３５°であり、その抵抗値は１×１０６Ωである。
【００３７】
二次転写ローラ2は、直径１４．０ｍｍのアルミ製芯金と層厚４ｍｍのシリコンゴム層と表層である層厚１００μｍのフッ素樹脂層で構成される外径２２．１ｍｍのローラである。シリコンゴムとフッ素樹脂を抵抗調整することでローラ抵抗値を１×１０８Ωとしている。二次転写ローラ55の硬度は４５°（ＡＳＫＥＲ−Ｃ）である。この二次転写ローラ2も、芯金が給電バネを介して高圧電源の二次転写電源21に接続されている。
【００３８】
二次転写ローラクリーナ4としてはウレタンゴムブレードが用いられている。
【００３９】
駆動ローラ1ａ、テンションローラ1ｂ、二次転写対向ローラ1ｃは、いずれも直径３２ｍｍのアルミニウム製導電ローラからなり、芯金部が給電バネを介して接地されている。
【００４０】
中間転写ベルト1は、カーボン分散により抵抗調整したポリイミド樹脂製の単層シームレスの無端ベルトであり、厚さ７５μｍ、周長１１１５ｍｍの寸法を有している。ＪＩＳ−Ｋ６９１１に準拠し、電極とベルト表面との良好な接触性を得るために、導電性ゴムを電極として使用し、Ａｄｖａｎｔｅｓｔ製Ｒ８３４０超高抵抗計を用いて、中間転写ベルトの体積抵抗率ρｖ、表面抵抗率ρｓを測定する。これにより、１００Ｖを１０秒印加時にρｖ＝５×１０８Ωｃｍの値が得られる。
【００４１】
３本のローラ1ａ、1ｂ、1ｃに張架された中間転写ベルト1のテンションは６ｋｇｆである。駆動ローラ1ａ、テンションローラ1ｂ間の距離は５００ｍｍである。各画像形成ステーション10（10ａ〜10ｄ）の感光体ドラム11（11ａ〜11ｄ）と一次転写ローラ15（15ａ〜15ｄ）とで構成される一次転写部は、ローラ1ａ、1ｂ間の中間転写ベルト1上に均等間隔で配置される。各一次転写ローラ15は両端に設けられたバネにより、中間転写ベルト1の裏面に８．５Ｎの圧力で当接されている。
【００４２】
定着ローラ30は、外径46ｍｍ、厚み２ｍｍの鉄の芯金上に、耐熱性を有しかつ硬度の低い厚み２ｍｍのシリコンゴム弾性層を設け、更にその上に厚み５０μｍのＰＦＡ樹脂層を設けており、また、内部はヒータによって加熱されるようになっている。定着ローラ30の温度は、定着ローラ30に当接する温度検知素子によって定着ローラ30の表面温度を検知され、温度制御回路がヒータを断続的に作動させることにより、前記表面温度が所定の温度（例えば１８０℃程度）となるよう制御される。
【００４３】
一方、定着ローラ30に圧接し回転する加圧ローラ31は、外径４４ｍｍ、厚み２ｍｍの鉄の芯金上に、耐熱性を有しかつ硬度の低い厚み２ｍｍのシリコンゴム弾性層を設け、更にその上に厚み５０μｍのＰＦＡ樹脂層を設けた構造をなしている。但し、内部にヒータは持たない。加圧ローラ31は両端に設けられたバネにより、定着ローラ30に対して９８０Ｎの圧力で当接されている。
【００４４】
クリーニングローラ32及び33は、アルミニウムパイプ製の金属ローラである。パイプ厚みは２ｍｍ、外径は１０ｍｍである。また、それぞれ定着ローラ30と加圧ローラ31に対して、１９．６Ｎの圧力で当接されている。
【００４５】
［クリーニング制御について］
ここで、本実施形態の画像形成装置における、クリーニングローラ32及び33のクリーニング制御について説明する。クリーニング制御は、パソコン101により、クリーニングモードの指令が出ることによって行われる。画像形成装置は、前記クリーニングモードを実施する機能を有する。
【００４６】
本実施形態の画像形成装置では、余白無し印字が行われたページ数が、画像形成装置内に付属の不図示のプリンターコントローラによって、カウントされる。余白有りでの通常印字ページ数はカウントされない。記録媒体としては、同プリンタ−コントローラ内のメモリ（ＲＡＭや書き換え可能なＲＯＭ等）が用いられる。余白無し印字がＡ４サイズ以下の転写材を使用して行われたときは１ページ、Ａ４サイズ以上Ａ３サイズ以下の転写材を使用して行われたときは２ページとカウントされる。ただし、同一用紙に両面印刷を行った場合は、余白無し印字がＡ４サイズ以下の転写材を使用して行われたときに２ページ、Ａ４サイズ以上Ａ３サイズ以下の転写材を使用して行われたときに４ページとカウントされる。
【００４７】
このようにしてカウントされた余白無し印字ページ数が、累積で１０００ページに到達すると、パソコン101上には、メッセージが表示される。具体的には、まず、転写材カセット5内にクリーニング材（クリーニングペーパー）として白紙のＳＲＡ３サイズの普通紙を一枚セットするようなメッセージが表示がされる。次に、クリーニング制御を開始するためのパソコン操作を行うよう、メッセージが表示される。
【００４８】
ユーザーがこのメッセージに従うと、クリーニングローラ上のトナーを、クリーニングペーパー上に再回収するためのシーケンスが稼働する。本実施形態の画像形成装置では、最初に、印字動作中の１８０℃のヒータ制御状態で６０秒間の空回転が行われる。これにより、各クリーニングローラ上のトナーを、定着ローラと加圧ローラ上に強制的に逆流させる。
【００４９】
このようにして、その後の印字動作で逆流による画像汚れを引き起こす可能性がある各クリーニングローラ上の付着トナーをできるだけ多く、定着ローラ及び加圧ローラ表面に逆流させる。この後、転写材カセット5内よりクリーニングペーパーを定着ニップに自動的に搬送し通過させる。これにより、クリーニングペーパー上でトナーの再回収を行なう。
【００５０】
［印字可能な転写材サイズについて］
本実施形態の画像形成装置において、ユーザーは、パソコン101上において、転写材カセット5にセットされた転写材のサイズ情報を設定できる。転写材が画像形成装置内を搬送される際の、走査方向のサイズを転写材の「幅」、プロセス方向のサイズを転写材の「長さ」とすると、本画像形成装置で設定可能な転写材の幅は１００ｍｍ〜３２０ｍｍ、長さは１４８ｍｍ〜４５０ｍｍの範囲である。また、本実施形態の画像形成装置においてユーザーがパソコン101から画像データの送信を行う際、余白無し印字モードで印字動作を行うか、余白有りモードで印字動作を行うかの設定を行える。余白無し印字モードを使用した場合は、転写材Ｐの全面に対して印字が行われた最終画像が得られ、余白有り印字モードを使用した場合には、転写材Ｐの先端部、後端部、左端部、右端部に５ｍｍ幅の余白が形成された最終画像が得られる。
【００５１】
ここで、本画像形成装置においては、余白無し印字モードにより動作可能な最大の転写材の幅Ｗ１は３１２ｍｍ（Ａ３フルブリードサイズの転写材通紙時の幅に対応）である。また、余白有り印字モードにより動作可能な最大の転写材の幅Ｗ２は３２０ｍｍ（ＳＲＡ３サイズの転写材通紙時の幅に対応）との制限が設けられており、これに反する設定は、パソコン101上でユーザーが行えないようになっている。つまり、転写材カセット5にセットされた転写材の幅が３１２ｍｍ以下である場合は余白無し印字モードと余白有り印字モードのいずれを指定して画像データの送信を行うこともできる。一方、転写材カセット5にセットされた転写材の幅が３１２ｍｍより大きな幅である場合は、余白有り印字モードを指定しての画像データの送信しか行えない。
【００５２】
また、前述したように、本画像形成装置においては、クリーニング制御実施時に転写材カセット5内にセットされ、使用されるクリーニングペーパーは、幅ＷＣＬが３２０ｍｍである白紙のＳＲＡ３サイズの普通紙である。
【００５３】
以上により、本実施形態の画像形成装置においては、図７に示したように、
Ｗ１  ＜  Ｗ２  ＝  ＷＣＬ
なる関係が成り立つ。ここで、Ｗ１は、余白無し印字モードにより動作可能な最大の転写材の幅であり、Ｗ２は、余白有り印字モードにより動作可能な最大の転写材の幅であり、ＷＣＬは、使用されるクリーニングペーパーの幅である。図７にＷ１とＷＣＬの関係を示す。
【００５４】
従って、本実施形態の画像形成装置では、幅３２０ｍｍのクリーニングペーパーを用いてクリーニング制御を行う。これにより、余白無しの印字が可能な最大の幅３１２ｍｍの転写材を用いて余白無しの印字動作を継続している場合、クリーニングローラ上に付着したトナーを確実に再回収することができる。これは、余白無しの印字時に、クリーニングニップ内の圧力の作用により、各クリーニングローラにより回収されたトナーのクリーニングローラ上での付着領域の幅が前記転写材の幅に対して拡がっていたとしても、その付着領域の幅に対して幅広だからである。
【００５５】
また、前記転写材を用いて余白無しの印字動作中、前記転写材が定着器内を搬送される際の定着器との相対位置関係に、走査方向のばらつき（位置ズレ）が生じることもある。この場合にも、各クリーニングローラにより回収されたトナーのクリーニングローラ上での付着領域の幅が、前記転写材の幅に対して拡がる。しかし、前記クリーニングペーパーを用いてクリーニング制御を行うことで、同様に、クリーニングローラ上に付着したトナーを確実に再回収することができる。
【００５６】
一方では、前記クリーニングペーパーを用いてクリーニング制御を実施中、前記クリーニングペーパーが定着器内を搬送される際の定着器との相対位置関係に、走査方向のばらつき（位置ズレ）が生じることもある。この場合には、クリーニングペーパーによりトナーの再回収を行える走査方向の領域が変化するが、上述の設定が満たされている限り、クリーニング制御により、クリーニングローラ上に付着した全トナーを確実に再回収することができる。
【００５７】
更には、余白無し印字を行う前記転写材や、クリーニング制御を行う前記クリーニングペーパーの寸法自体に、幅のばらつきが生じていたとしてもよい。上述の設定が満たされている限り、クリーニング制御により、クリーニングローラ上に付着したトナーを確実に再回収することができるからである。
【００５８】
以上説明したように、本実施形態における画像形成装置では、使用される転写材とクリーニングペーパーの幅の関係を次のようにする。即ち、余白無し印字モードで使用可能な最大の転写材の幅をＷ１、余白有り印字モードで使用可能な最大の転写材の幅をＷ２、クリーニング制御で使用されるクリーニングペーパーの幅をＷＣＬとすると、Ｗ１＜Ｗ２＝ＷＣＬ、とされる。このため、クリーニング制御によりクリーニングローラ上に付着したトナーを確実に再回収し、転写材の汚れを防止することができる。
【００５９】
尚、本実施形態の画像形成装置においては、余白有り印字モードで使用可能な最大の転写材の幅Ｗ２と、クリーニング制御で使用されるクリーニングペーパーの幅ＷＣＬとが、同じ幅を有する（Ｗ２＝ＷＣＬ）とされたが、これに限るものではない。例えば、Ｗ２＝ＷＣＬでなくとも、ＷＣＬと、余白無し印字モードで使用可能な最大の転写材の幅Ｗ１とが、Ｗ１＜ＷＣＬの関係を満たせば、クリーニング制御によりクリーニングローラ上に付着したトナーを確実に再回収し、転写材の汚れを防止することができる。
【００６０】
但し、実際に生じ得る、クリーニングニップ内の圧力の作用やその他のばらつきを想定すると、
ＷＣＬ  −  Ｗ１  ≧  ８ｍｍ
であることが望ましい。
【００６１】
尚、その他のばらつきとは、主に３つある。まず、転写材が定着器内を搬送される際の定着器との相対位置関係の主走査方向のばらつきである。次に、クリーニングペーパーが定着器内を搬送される際の定着器との相対位置関係の走査方向のばらつきである。最後に、転写材やクリーニングペーパーの寸法自体の幅のばらつきである。
【００６２】
〔第２実施形態〕
本発明の第２実施形態における画像形成装置は、第１実施形態の画像形成装置と同様に、図１の構成を有する。また、画像形成装置の動作や構成部品等も、第１実施形態の画像形成装置と同様である。
【００６３】
本実施形態の画像形成装置において特徴的なのは、クリーニング制御実施時にクリーニングペーパーとして使用される転写材である。前述の実施形態では、画像形成装置の余白有り印字モードで使用可能な最大幅の転写材を用いたが、本実施形態では、画像形成装置の余白無し印字モードによって印字動作が行われた転写材の使用履歴に応じて、転写材のサイズが変更される点が特徴である。
【００６４】
本実施形態の画像形成装置においても、余白無し印字モードにより動作可能な最大の転写材の幅は３１２ｍｍ（Ａ３フルブリードサイズの転写材通紙時の幅に対応）である。また、余白有り印字モードにより動作可能な最大の転写材の幅は３２０ｍｍ（ＳＲＡ３サイズの転写材通紙時の幅に対応）である。
【００６５】
本実施形態の画像形成装置は、ページ数をカウントするカウント手段と、画像形成モードにおいて動作した転写材の幅を記憶する転写材使用履歴記憶手段とを有する。これにより、画像形成装置内に付属の不図示のプリンターコントローラによって、余白無し印字が行われたページ数がカウントされ、その際に使用された転写材の最大幅Ｗ１ｍが記憶される。
【００６６】
例えば、余白無し印字がＡ４サイズ以下の転写材を使用して行われたときは１ページ、Ａ４サイズ以上Ａ３サイズ以下の転写材を使用して行われたときは２ページとカウントされる。ただし、同一用紙に両面印刷を行った場合は、余白無し印字がＡ４サイズ以下の転写材を使用して行われたときに２ページ、Ａ４サイズ以上Ａ３サイズ以下の転写材を使用して行われたときに４ページとカウントされる。
【００６７】
このようにしてカウントされた余白無し印字ページ数が、累積で１０００ページに到達すると、パソコン101上には、クリーニング制御を開始するためのパソコン操作を行うよう、メッセージが表示される。メッセージは、例えば、転写材カセット5内にクリーニングペーパーとして、その幅ＷＣＬｍが余白無し印字中に使用された最大幅の転写材よりも幅広である白紙の普通紙を一枚セットし、クリーニング制御を開始せよ、とのメッセージが表示される。
【００６８】
図８は、印字中に使用される転写材の幅とクリーニングペーパーの転写材の幅との関係を示す図表である。図８を用いて、余白無し印字中に使用された最大の転写材の幅と、クリーニングペーパーとして使用されるべき転写材としてメッセージ表示される転写材の種類との関係を例示する。
【００６９】
ユーザーがこのメッセージに従うと、クリーニングローラ上のトナーを、クリーニングペーパー上に再回収するためのシーケンスが稼働する。本実施形態の画像形成装置では、最初に、印字動作中の１８０℃のヒータ制御状態で６０秒間の空回転が行われる。これにより、各クリーニングローラ上のトナーを、定着ローラと加圧ローラ上に強制的に逆流させる。このようにして、その後の印字動作で逆流による画像汚れを引き起こす可能性がある各クリーニングローラ上の付着トナーを、できるだけ多く定着ローラ及び加圧ローラ表面に逆流させる。その後、転写材カセット5内よりクリーニングペーパーを定着ニップに自動的に搬送し通過させることで、クリーニングペーパー上でトナーの回収を行なう。
【００７０】
以上により、本実施形態の画像形成装置においては、
Ｗ１ｍ  ＜  ＷＣＬｍ
なる関係が成り立つ。ここで、Ｗ１ｍは、余白無し印字が行われた際に使用された転写材の最大幅であり、ＷＣＬｍは、クリーニングペーパーの幅である。
【００７１】
本実施形態の画像形成装置では、余白無し印字中に使用された最大幅の転写材よりも幅広のクリーニングペーパーを用いてクリーニング制御を行うことで、クリーニングローラ上に付着した全トナーを確実に再回収することができる。これは、各クリーニングローラにより回収されたトナーのクリーニングローラ上での付着領域の幅が、前記転写材の幅に対して拡がっていたとしても、トナーの付着領域の幅よりもクリーニングペーパーの幅の方が広いからである。
【００７２】
また、本実施形態のクリーニング制御によれば、余白無し印字動作中、前記転写材が定着器内を搬送される際の定着器との相対位置関係に、走査方向のばらつき（位置ズレ）が生じても、クリーニングローラ上に付着した全トナーを確実に再回収することができる。
【００７３】
また、前記クリーニングペーパーを用いてクリーニング制御を実施中、前記クリーニングペーパーが定着器内を搬送される際の定着器との相対位置関係に、走査方向のばらつき（位置ズレ）が生じても全トナーの再回収が可能である。更には、余白無し印字を行う前記転写材や、クリーニング制御を行う前記クリーニングペーパーの寸法自体に、幅のばらつきが生じていたとしても、全トナーの再回収が可能である。
【００７４】
また、クリーニング制御実施時に使用されるクリーニングペーパーの種類の選択範囲が広がり、ユーザーがクリーニングペーパーを準備する上での負担が軽減される。
【００７５】
以上説明したように、本実施形態における画像形成装置では、次のような構成である。即ち、使用される転写材とクリーニングペーパーの幅の関係が、余白無し印字モードでの使用履歴のある最大の転写材幅をＷ１ｍ、クリーニング制御で使用されるクリーニングペーパーの幅をＷＣＬｍとすると、Ｗ１ｍ  ＜  ＷＣＬｍ、とされる。このため、画像形成装置の余白有り印字モードで使用可能な最大幅の転写材をクリーニングペーパーとして使用しなくともよい。こうして、クリーニング制御によりクリーニングローラ上に付着したトナーを確実に再回収し、転写材の汚れを効率よく防止することができる。
【００７６】
〔第３実施形態〕
本発明の第３実施形態における画像形成装置は、図９の構成を有する。図９は第３実施形態に用いられる画像形成装置200の断面図である。
【００７７】
本画像形成装置は、第１実施形態で述べた転写材カセットを複数保有する以外は、第１実施形態の画像形成装置100と同様の構成である。
【００７８】
図９に示すように、本実施形態の画像形成装置200は、転写材カセット5に加え、転写材カセット5Ａ、転写材カセット5Ｂ、転写材カセット5Ｃを有する。各転写材カセットの構成は、図３で示した構成と同様である。転写材Ｐは各転写材カセット内のそれぞれ一対の長手位置規制板により、感光体ドラム11ａ〜11ｄ、中間転写ベルト1、定着ローラ30、加圧ローラ31、クリーニングローラ32、33と長手中心が整列されて蓄積されている。
【００７９】
これにより、各転写材カセットから取り出された転写材Ｐは、感光体ドラム11ａ〜11ｄ、中間転写ベルト1、定着ローラ30、加圧ローラ31、クリーニングローラ32、33と長手中心が整列した状態で二次転写ニップ部、定着ニップ部に挿通される。つまり、本実施形態の画像形成装置も中央基準構成となっている。各々の転写材カセットに付属のピックアップローラ対51、51Ａ、51Ｂ、51Ｃにより転写材Ｐが各転写材カセットから取り出される。転写材Ｐは、給送装置6の搬送ローラ61、61Ａ、61Ｂ、61Ｃと、給送ローラ9により、中間転写ベルト1上のトナー像に同期した所定のタイミングで、二次転写部に挿通される。
【００８０】
ここで、本実施形態の画像形成装置における特徴について述べる。
【００８１】
本実施形態の画像形成装置においては、ユーザーは、パソコン101上において、各転写材カセット5、5Ａ、5Ｂ、5Ｃのそれぞれにセットされた転写材のサイズ情報を設定できる。これらのサイズ情報は、画像形成装置内に付属の不図示のプリンターコントローラによって記憶される。いずれの転写材カセットに関しても、設定可能な転写材の幅は１００ｍｍ〜３２０ｍｍ、長さは１４８ｍｍ〜４５０ｍｍの範囲である。また、パソコン101から画像データの送信を行う際、使用する転写材（転写材カセット）の指定と、余白無し又は余白有りの印字モードの指定を行うことができる。但し本画像形成装置においては、プリンターコントローラに記憶された各転写材カセットにセットされた転写材サイズの情報に基づき、転写材カセット毎にどの印字モードが指定可能か、が決定される。
【００８２】
また、第１実施形態では、クリーニング制御実施時に、ユーザーが所定サイズのクリーニングペーパーを転写材カセットにセットし、その後パソコン101上でクリーニング制御を開始するためのパソコン操作を行うことで制御が開始される構成であった。しかし、本実施形態の画像形成装置では、制御時に使用されるクリーニングペーパーとして、ある一つの転写材カセットにセットされた転写材が自動的に選択され、制御開始時にはそれが自動的に使用される。
【００８３】
以下に、本実施形態の例を述べる。図１０、図１１、図１２はそれぞれ、第３実施形態において転写材カセットにある転写材のサイズを示す図表である。
【００８４】
図１０のように転写材カセットに各サイズの転写材がセットされた場合の例を説明する。図１０の例では、転写材カセット5にはＡ３サイズ（幅２９７ｍｍ）、転写材カセット5ＡにはＡ４横送りサイズ（幅297ｍｍ）がセットされる。また、カセット５ＢにはＡ３フルブリードサイズ（幅312ｍｍ）、カセット５ＣにはＳＲＡ３サイズ（幅320ｍｍ）の転写材がセットされる。
【００８５】
この場合、ユーザーがパソコン101上で転写材カセット5、転写材カセット5Ａ、転写材カセット5Ｂを指定して画像データを送信する場合は、余白有り印字、余白無し印字の何れのモードも指定可能である。一方で、転写材カセット5Ｃを指定して画像データを送信する場合には、余白無し印字モードの指定は不可能で、余白有り印字モードの指定のみが可能である。
【００８６】
ここで、各転写材カセットにセットされた転写材を任意の配分で使用しながら印字動作が継続された場合、第１実施形態の画像形成装置と同様となる。即ち、プリンターコントローラによって余白無し印字が行われたページ数がカウントされ、クリーニング制御の実施タイミングが決定される。が、この際本実施形態においては、クリーニングペーパーとして、転写材カセット5Ｃにセットされた転写材が自動的に搬送され使用される。つまり、本実施形態では、転写材カセット5Ｃ内にセットされた転写材をクリーニングペーパーとして自動的に搬送し、クリーニング制御が実施される。このため、前述の実施形態のように、ユーザーが転写材カセット内にクリーニングペーパーをセットしクリーニング制御を開始するためのパソコン操作を行わなくてもよい。
【００８７】
図１１の例では、転写材カセット5にはＡ３サイズ（幅２９７ｍｍ）、転写材カセット5ＡにはＡ４横送りサイズ（幅２９７ｍｍ）の転写材がセットされる。また、カセット５ＢにはＡ３フルブリードサイズ（幅３１２ｍｍ）、カセット５ＣにはB4サイズ（幅２５７ｍｍ）の転写材がセットされる。
【００８８】
この場合、ユーザーがパソコン101上で転写材カセット5、転写材カセット5Ａ、転写材カセット5Ｃを指定して画像データを送信する場合は、余白有り印字、余白無し印字の何れのモードも指定可能である。一方で、転写材カセット5Ｂを指定して画像データを送信する場合には、余白無し印字モードの指定は不可能で、余白有り印字モードの指定のみが可能である。
【００８９】
各転写材カセットにセットされた転写材を任意の配分で使用しながら印字動作が継続された場合、所定タイミングにて、転写材カセット5Ｂにセットされた転写材が自動的に搬送され、クリーニング制御が実施される。
【００９０】
上記何れのケースにおいても、
Ｗ１ｔ  ＜  Ｗ２ｔ  ＝  ＷＣＬｔ
を満たす。ここで、Ｗ１ｔは、使用される転写材とクリーニングペーパーの幅の関係が、余白無し印字モードで使用される最大の転写材の幅であり、Ｗ２ｔは、余白有り印字モードで使用される最大の転写材の幅である。また、ＷＣＬｔは、クリーニング制御で使用されるクリーニングペーパーの幅である。
【００９１】
従って、本実施形態では、各転写材カセットにセットされた転写材を任意の配分で使用しながら印字動作が継続されたとしても、所定タイミングにおいて所定の転写材カセットよりクリーニングペーパーを自動的に搬送しクリーニング制御を実施する。これにより、良好なクリーニングを行い、転写材の汚れを防止することができる。また、クリーニング制御実施時にユーザーがクリーニングペーパーを転写材カセットにセットしなければならない煩わしさも解消される。
【００９２】
尚、図１２の例では、転写材カセット5と転写材カセット5ＢにはＡ３サイズ（幅297ｍｍ）、転写材カセット5Ａと転写材カセット5ＣにはＡ４横送りサイズ（幅297ｍｍ）の転写材がセットされる。
【００９３】
この場合、ユーザーがパソコン101上で転写材カセット5、転写材カセット5Ａ、転写材カセット5Ｂ、転写材カセット5Ｃのいずれを指定して画像データを送信する場合も、余白無し印字モードの指定は不可能である。この場合は、余白有り印字モードの指定のみが可能である。
【００９４】
このような場合には、ユーザーがある転写材カセットより転写材を取り除き、他の転写材カセット内の転写材よりも幅の狭い転写材をセットして初めて、その転写材カセットを指定して画像データを送信する場合に余白無し印字モードの指定が可能となる。このために、例えばユーザーは、転写材カセット5Ａまたは転写材カセット5ＣにセットされたＡ４横送り（幅２９７ｍｍ）の転写材の向きを、Ａ４縦送り（幅２１０ｍｍ）に変えて同じ転写材カセット内にセットし直しても良い。
【００９５】
以上説明したように、本実施形態における画像形成装置は、転写動作以前に転写材を保持する複数の転写材保持手段として転写材カセットを有する構成である。そして、前記転写材保持状態記憶手段に記憶された転写材幅に関する情報に基づいて、余白無し印字モードや余白有り印字モードによる画像形成の可否と、を決定する。
【００９６】
この場合において、各転写材カセットにセットされた転写材の幅情報を元に、各転写材カセットにセットされた転写材を使用して、余白無し印字モードでの印字動作が可能か否か、余白有り印字モードでの印字動作が可能か否かが決定される。また、クリーニング制御実施時に自動的に使用される転写材がセットされた転写材カセットが決定される。このため、クリーニング制御によりクリーニングローラ上に付着したトナーを確実に再回収し、転写材の汚れを防止することができる。これと同時に、クリーニング制御実施時にユーザーがクリーニングペーパーを転写材カセットにセットしなければならない煩わしさを解消する。このため、画像形成装置使用に際するユーザーの利便性も高めることもできる。
【００９７】
尚、本実施形態の画像形成装置は、複数の転写材カセット内にセットされた転写材のサイズが、パソコン上でユーザーにより入力される構成であったが、これに限るものではない。各転写材カセット内にセットされている転写材のサイズを自動的に判別するための機械的或いは光学的な機構が、画像形成装置自体に備えられている構成である場合もある。このような場合にも、その判別結果を利用して、各転写材カセットにセットされた転写材を使用して、余白無し印字モードでの印字動作が可能か否か、余白有り印字モードでの印字動作が可能か否かが決定される。また、クリーニング制御実施時に自動的に使用される転写材がセットされた転写材カセットが決定されるので、同様の効果が得られる。
【図面の簡単な説明】
【００９８】
【図１】第１実施形態における画像形成装置100を示す断面図。
【図２】画像形成装置100と画像送信装置の接続を示す図。
【図３】転写材カセット5の斜視図。
【図４】転写材Ｐに対する塗り足し領域を示す図。
【図５】紙こばトナーの付着状態を示す斜視図。
【図６】トナーがオフセットする状態を示す斜視図。
【図７】Ｗ１とＷＣＬの関係を示す図。
【図８】第２実施形態において印字中に使用される転写材の幅とクリーニングペーパーの転写材の幅との関係を示す図表。
【図９】第３実施形態に用いられる画像形成装置200の断面図。
【図１０】第３実施形態において転写材カセットにある転写材のサイズを示す図表。
【図１１】第３実施形態において転写材カセットにある転写材のサイズを示す図表。
【図１２】第３実施形態において転写材カセットにある転写材のサイズを示す図表。
【符号の説明】
【００９９】
Ｂ…塗り足し領域、Ｐ…転写材、1…中間転写ベルト、1ａ…駆動ローラ、1ｂ…テンションローラ、1ｃ…二次転写対向ローラ、2…二次転写ローラ、3…定着器、4…ベルトクリーナ、5…転写材カセット、6…給送装置、8…排出トレイ、9…給送ローラ、10…画像形成ステーション、11…感光体ドラム、12…一次帯電ローラ、13…レーザー露光器、14…現像器、15…一次転写ローラ、16…一次転写電源、17…ドラムクリーナ、21…二次転写電源、22…二次転写ローラクリーナ、30…定着ローラ、31…加圧ローラ、32…クリーニングローラ、33…クリーニングローラ、51…ピックアップローラ対、52…長手位置規制板、61…搬送ローラ、100…画像形成装置、101…パソコン、102…ケーブル、200…画像形成装置
【図１】
0005213388.tif 000002
【図２】
0005213388.tif 000003
【図３】
0005213388.tif 000004
【図４】
0005213388.tif 000005
【図５】
0005213388.tif 000006
【図６】
0005213388.tif 000007
【図７】
0005213388.tif 000008
【図８】
0005213388.tif 000009
【図９】
0005213388.tif 000010
【図１０】
0005213388.tif 000011
【図１１】
0005213388.tif 000012
【図１２】
0005213388.tif 000013